(57)【特許請求の範囲】
【請求項１】
シート載置部に載置された複数のシートからなるシート束に当接、離隔するように上昇および下降可能に設けられ、前記シート束に当接して前記シート載置部に載置されたシート束をシート搬送路に沿って給紙する給紙手段と、
前記給紙手段によって給紙されたシート束からシートを１枚ずつ分離する分離手段とを備えた給紙装置において、
前記給紙手段に対向する前記シート搬送路上に薄肉状の弾性シートを設けるとともに、前記弾性シートを前記シート搬送路に対して隙間を画成するように前記シート搬送路に取付けたことを特徴とする給紙装置。
【請求項２】
シート載置部に載置された複数のシートからなるシート束に当接、離隔するように上昇および下降可能に設けられ、前記シート束に当接して前記シート載置部に載置されたシート束をシート搬送路に沿って給紙する給紙手段と、
前記給紙手段によって給紙されたシート束からシートを１枚ずつ分離する分離手段とを備えた給紙装置において、
前記給紙手段に対向する前記シート搬送路上にスリットを設けるとともに、前記シート搬送路に、前記スリットを閉塞する薄肉状の弾性シートを設けたことを特徴とする給紙装置。
【請求項３】
前記シート搬送路に、前記シートの給紙方向の前後方向に離隔する突起部材を設け、前記突起部材に前記弾性シートを取付けたことを特徴とする請求項１記載の給紙装置。
【請求項４】
前記給紙手段に対向するシート搬送路に凹部を設け、この凹部を覆うように前記弾性シートを設けたことを特徴とする請求項１記載の給紙装置。
【請求項５】
シートの給紙方向と略直行する前記弾性シートの幅方向両端部に位置する前記シート搬送路に、前記弾性シートの上面と同等またはそれ以上の高さを有するリブを立設したことを特徴とする請求項３記載の給紙装置。
【請求項６】
前記突起部材が制振部材からなることを特徴とする請求項３または５記載の給紙装置。
【請求項７】
請求項１〜６何れかに記載の給紙装置を具備したことを特徴とする画像形成装置。
【請求項８】
請求項１〜６何れかに記載の給紙装置を具備したことを特徴とする画像読取装置。
【発明の詳細な説明】
【０００１】
【発明の属する技術分野】
本発明は、シート束からシートを１枚ずつ分離することができる給紙装置およびこれを具備した画像形成装置並びに画像読取装置に関する。
【０００２】
【従来の技術】
一般に、原稿束を上側から給紙して最上位に位置する原稿を分離する給紙装置にあっては、原稿を分離する分離手段のニップを大きく取ることによって原稿汚れの低減化を図るために、分離手段の給紙側に無端状ベルトを使用することが多い。
【０００３】
一方、原稿載置台に載置された原稿束を分離手段まで給紙するピックアップローラにあっては、ピックアップローラ自身が上昇位置から下降して原稿を搬送するケースと、原稿が載置された底板がピックアップローラまで上昇するケースとがあり、前者のケースは少ない部品点数でしかも構成が簡単であるため、多用されている。
【０００４】
【発明が解決しようとする課題】
しかしながら、このような上昇、下降可能なピックアップローラを備えた給紙装置あっては、原稿載置台に多数枚の原稿が載置されることを考えて上昇および下降時のストロークを大きく取る必要があるため、原稿束に当接する下降時に原稿を介して原稿の搬送路（ガイド板）に接触するときに衝撃音が発生してしまうという問題があった。
【０００５】
また、ピックアップローラが原稿を介して搬送路に接触したときの衝撃によってピックアップローラ自体がバウンド（跳ね返り）して原稿を給紙する際に直ちに原稿束に接触することができず、搬送開始までにロスが生じてしまうという問題があった。
【０００６】
このような不具合を解消するものとして、図８に示すものがある。図８において、１は図示しない原稿束を載置する原稿載置台であり、この原稿載置台１に載置された原稿束の先端部はガイド板２に位置するようになっている。このガイド板２の上方には図示しない呼び出しモータによって上昇および下降可能なピックアップローラ３が設けられており、このピックアップローラ３が下降して原稿束の先端に接触して回転することにより、原稿載置台１に載置された上部に位置する原稿が給紙されるようになっている。
【０００７】
この原稿束は時計方向に回転する給紙ベルト４および給紙ベルト４に摺接して時計方向に回転する分離ローラ５によって最上位に位置する原稿が分離されるようになっている。
【０００８】
一方、ピックアップローラ３に対向するガイド板２にはフェルトまたは発泡材からなる吸収部材６が設けられており、ピックアップローラ３の下降時に原稿束を介して吸収部材６に接触することにより、ピックアップローラ３の衝撃を緩和するようにしている。
【０００９】
しかしながら、このように吸収部材６を設けた場合でも、吸収部材６が直接ガイド板２に取付けられているため、ピックアップローラ３の衝撃が吸収部材６を経由してガイド板２に伝達されてしまい、ガイド板２の振動を抑えるのには十分なものではなく、その分だけ衝撃音を抑制することができなかった。
【００１０】
そこで本発明は、簡単な構成で給紙手段の下降時の衝撃音を抑制することができるとともに、給紙手段の跳ね返りを防止してシートの給紙開始までにロスタイムが発生するのを防止することができる給紙装置およびこれを具備した画像形成装置並びに画像読取装置を提供することを目的としている。
【００１１】
【問題を解決するための手段】
第１の発明は、上記課題を解決するために、シート載置部に載置された複数のシートからなるシート束に当接、離隔するように上昇および下降可能に設けられ、前記シート束に当接して前記シート載置部に載置されたシート束をシート搬送路に沿って給紙する給紙手段と、前記給紙手段によって給紙されたシート束からシートを１枚ずつ分離する分離手段とを備えた給紙装置において、前記給紙手段に対向する前記シート搬送路上に薄肉状の弾性シートを設けるとともに、前記弾性シートを前記シート搬送路に対して隙間を画成するように前記シート搬送路に取付けたことを特徴としている。
【００１２】
その場合、給紙手段の下降時に給紙手段が弾性シートに接触するが、弾性シートとシート搬送路の間に隙間があるため、弾性シートの弾性力と隙間分の弾性シートの移動許容範囲の作用によって、簡単な構成で給紙手段の衝撃音を抑制することができるとともに、給紙手段の跳ね返りが発生するのを防止してシートの給紙開始までにロスタイムが発生するのを防止することができる。
【００１３】
第２の発明は、上記課題を解決するために、シート載置部に載置された複数のシートからなるシート束に当接、離隔するように上昇および下降可能に設けられ、前記シート束に当接して前記シート載置部に載置されたシート束をシート搬送路に沿って給紙する給紙手段と、前記給紙手段によって給紙されたシート束からシートを１枚ずつ分離する分離手段とを備えた給紙装置において、前記給紙手段に対向する前記シート搬送路上にスリットを設けるとともに、前記シート搬送路に、前記スリットを閉塞する薄肉状の弾性シートを設けたことを特徴としている。
【００１４】
その場合、給紙手段の下降時に給紙手段が弾性シートに接触するが、弾性シートがスリット側に移動するために、弾性シートの弾性力とスリットによる弾性シートの移動許容範囲の作用によって、簡単な構成で給紙手段の衝撃音を抑制することができるとともに、給紙手段の跳ね返りが発生するのを防止してシートの給紙開始までにロスタイムが発生するのを防止することができる。
【００１５】
第３の発明は、上記課題を解決するために、前記シート搬送路に、前記シートの給紙方向の前後方向に離隔する突起部材を設け、前記突起部材に前記弾性シートを取付けたことを特徴としている。
【００１６】
その場合、弾性シートとシート搬送路の間に簡単に隙間を画成することができる。
【００１７】
第４の発明は、上記課題を解決するために、前記給紙手段に対向するシート搬送路に凹部を設け、この凹部を覆うように前記弾性シートを設けたことを特徴としている。
【００１８】
その場合、弾性シートとシート搬送路の間に簡単に隙間を画成することができる。
【００１９】
第５の発明は、上記課題を解決するために、シートの給紙方向と略直行する前記弾性シートの幅方向両端部に位置する前記シート搬送路に、前記弾性シートの上面と同等またはそれ以上の高さを有するリブを立設したことを特徴としている。
【００２０】
その場合、弾性シートの幅方向両端部とシート搬送路の間の隙間がリブによって閉塞されるため、弾性シートの幅方向両端部とシート搬送路の間の隙間から弾性シートの下方にごみやクリップ等の異物が侵入するのを防止することができる。
【００２１】
第６の発明は、上記課題を解決するために、前記突起部材が制振部材からなることを特徴としている。
【００２２】
その場合、給紙手段が弾性シートを介してシート搬送路に接触したときに、ガイド板に伝達された衝撃を制振部材によって吸収することができ、給紙手段の下降時の衝撃音をさらに低減することができる。
【００２３】
第７の発明は、上記課題を解決するために、第１〜６何れかの発明の給紙装置を具備した画像形成装置であることを特徴としている。
【００２４】
その場合、簡単な構成で給紙手段の衝撃音を抑制することができるとともに、給紙手段の跳ね返りが発生するのを防止してシートの給紙開始までにロスタイムが発生するのを防止することができる画像形成装置を得ることができる。
【００２５】
第８の発明は、上記課題を解決するために、第１〜６何れかの発明の給紙装置を具備した画像読取装置であることを特徴としている。
【００２６】
その場合、簡単な構成で給紙手段の衝撃音を抑制することができるとともに、給紙手段の跳ね返りが発生するのを防止してシートの給紙開始までにロスタイムが発生するのを防止することができる画像読取装置を得ることができる。
【００２７】
【発明の実施の形態】
以下、本発明の実施形態を図面に基づいて説明する。
【００２８】
図１、２は本発明に係る給紙装置を具備した画像読取装置の第１実施形態を示す図である。なお、画像読取装置としては、ファクシミリ装置、複写機、スキャナー装置等があるが、本発明はこれに限定されるものではなく、シート束からシートを１枚ずつ分離する給紙装置を具備した画像形成装置に適用することも可能である。なお、画像形成装置としては、ファクシミリ装置、複写機、プリンター装置等に適用可能である。
【００２９】
まず、構成を説明する
【００３０】
本実施形態のシート搬送装置200は、画像読取装置の本体300に搭載されている。この画像読取装置においては、画像読み取り時、位置Ａに固定された読取部にシート搬送装置（給紙装置）200からシート（原稿）を所定の速度で搬送しながら、その読取部で画像読取りを行うように構成されている。
【００３１】
このシート搬送装置200には、原稿セット部１、分離給紙部２、レジスト部３、反転部４、第１読取搬送部５、第２読取搬送部６、排紙部７、反転搬送部８、スタック部９、これら搬送動作の駆動を行う図示しない駆動部等から構成されている。
【００３２】
原稿セット部１は、原稿セットテーブル（シート載置部）10、サイドガイド11、第１原稿長さセンサ12、第２原稿長さセンサ14、原稿ストッパ25等から構成され、片面あるいは両面原稿の原稿束Ｓをセットするものである。この原稿セットテーブル10は回転支点95を中心に上方に回転退避可能に構成されており、スタック原稿の取り出しを容易にしている。
【００３３】
また、サイドガイド11は、原稿セット時に原稿の片側（図１中、奥側）を規制する端面基準として用いられる。また、第１原稿長さセンサ12、第２原稿長さセンサ14は、何れも反射型センサまたは原稿１枚にても検知可能なアクチュエータ・タイプのセンサによって構成されている。
【００３４】
分離給紙部２は、ピックアップローラ（給紙手段）20、給紙ベルト23、原稿ストッパ25、分離ローラ26等から構成されており、原稿セットテーブル10上にセットされた原稿束Ｓの最上位から原稿を取出し、１枚ずつ分離して給送する。このピックアップローラ20および原稿ストッパ25の状態は、ホームポジションセンサ（例えば、光学式反射型センサで構成）19によって検知される。
【００３５】
ピックアップローラ20は図示しない呼び出しモータ（あるいはソレノイド）によって原稿束Ｓから上方に離隔する離隔位置および原稿束Ｓに当接する当接位置の間で上昇および下降可能になっており、原稿束Ｓに当接したときに原稿束Ｓの上部に位置する原稿束を給紙するようになっている。
【００３６】
給紙ベルト23は給紙モータによって駆動される駆動プーリ24および従動プーリ22によって時計方向に回転するとともに、分離ローラ26も同様に時計方向に回転するようになっており、原稿束から最上位に位置する原稿を分離するようになっている。なお、本実施形態では、給紙ベルト23および分離ローラ26が分離手段を構成している。
【００３７】
また、分離ローラ26は、所定の大きさのトルクを有する図示しないトルクリミッタを介して、フリクション駆動されており給紙ベルト23との直接係合時、または原稿１枚を介して係合している状態では、給紙ベルト23の回転に連れて反時計方向に回転させられる。さらに、分離ローラ26は、原稿が２枚以上、給紙ベルト23と分離ローラ26の間に進入した場合は、連れ回り力がトルクリミッタのトルクよりも小さくなるように設定されており、この場合は本来の駆動方向である時計方向に回転し、余分な原稿を押し戻す働きをして重送を防止するようになっている。
【００３８】
レジスト部３は、突き当てセンサ29、レジスト従動ローラ30、レジスト駆動ローラ96、幅サイズセンサ群32等から構成されており、給送された原稿をレジストローラ対30、96に一次突き当てして整合する動作と、整合後の原稿を引き出して搬送する動作を行う。
【００３９】
反転部４は、読取搬送ローラ43、加圧ローラ35、レジストセンサ40等から構成されており、読取位置へ搬送される原稿を反転させて画像面を読取り側（下方）に向けて搬送する。
【００４０】
第１読取搬送部５は、読取搬送ローラ43、加圧ローラ41、白色背景板51、コンタクトガラス54等から構成されており、読取搬送中の原稿はコンタクトガラス54とそのコンタクトガラス54上面に所定の間隔を持って配置された白色背景板51との間を通過する。この間に、本体300側の読取部（光源、ミラー、レンズ、ＣＣＤ等）によって原稿の表面画像をコンタクトガラス54の下方より読み取らせ、その画像は前記読取部のＣＣＤを介して電気信号に変換され、図示しないメモリ装置（画像メモリ）に記憶される。
【００４１】
なお、前記読取部は所定のタイミング（原稿読み取り開始時を含む）で、読取位置近傍のホームポジション（位置Ａ）から位置Ａ′に移動しながら白色背景板51を読み取り、シェーディング補正に用いる補正データを取得する。
【００４２】
本実施形態では、第１読取搬送部５における搬送ギャップをできる限り狭く取り、原稿の自由度を極力少なくするため、読取入り口ガイド42の内面から可撓性のガイド部材を白色背景板51方向に張り出してその隙間を埋めるように構成している。
【００４３】
また、コンタクトガラス54上に配置された白色背景板51は、前記ガイド部材と0.5mm±0．2mm程度のギャップを持って配置されており、コンタクトガラス54に所定の弾力性を持って圧接される。このように構成することにより、読み取り深度方向の誤差を抑えることができる。
【００４４】
また、コンタクトガラス54の表面は、インク等の付着や固着が起きにくいように、その表面に界面活性剤（シリコン系活性剤）処理がなされている。また、前記ガイド部材を読取位置近傍まで張り出すことによって、読取位置では原稿面が積極的にコンタクトガラス54に接触せず、かつ原稿先端はコンタクトガラス54の読取位置付近をワイピング（先端でガラス面の異物を掻き落とす作用）できるように構成されている。
【００４５】
第２読取搬送部６は、密着イメージセンサ61、押圧部材62等から構成されており、表面読取り後の原稿を搬送しながら裏面画像を上方から読み取らせる。
【００４６】
この密着イメージセンサ61は、詳細に図示していないが、原稿読取り時の露光のための光源、原稿の画像面を読み取ってその情報を電気信号（アナログ信号）に光電変換するＣＣＤ、そのアナログ信号を増幅する増幅器、増幅されたアナログ信号をディジタル信号に変換するＡ／Ｄコンバータ、そのディジタル信号から画情報を生成する画処理部、その画情報を展開して蓄積するためのフレームメモリ、このフレームメモリに蓄積された画情報を本体300に設けられた図示しない本体制御部に送出する出力制御回路等を備えており、シート搬送装置側からのタイミング信号に従って露光処理を行い、取得した画情報を本体側に送出するように構成されている。
【００４７】
また、密着イメージセンサ61は、所定のタイミング（原稿読み取り開始時を含む）で白色背景板（押圧部材62）を読み取り、シェーディング補正に用いる補正データを取得する。押圧部材62は、図１では板状のガイド部材で構成されているが、これに限らず、回転体で構成することも可能である。
【００４８】
排紙部７は、排紙駆動ローラ71、排紙加圧ローラ72、排紙センサ70等から構成されており、表裏面の読取りが完了した原稿を機外又は反転搬送部８に搬送する。
【００４９】
反転搬送部８は、反転切換爪80、反転排紙ローラ対81、82等から構成されており、表面読取り後の再読取りのためのスイッチバック動作を行う。なお、スイッチバック経路83が中間スタック部を形成する。
【００５０】
スタック部９は、排紙スタッカ90等から構成されており、読取り完了後の原稿を積載保持する。この排紙スタッカ90には、小サイズ原稿の排出後の視認性を高め、排出原稿を取り出しやすくするために小サイズ専用スタッカ91が形成されている。
【００５１】
一方、図２に示すようにピックアップローラ20に対向する搬送ガイド（シート搬送路）211上には凹部211ａが形成されており、ガイド板211には凹部211ａを覆うように薄肉状の弾性シート212が設けられている。この弾性シート212は厚さ0.1mm〜0.3mm程度のＰＥＴ等から構成されており、この弾性シート212と凹部211ａの底面の間には0.5mm〜数mm程度の隙間213が画成されている。なお、弾性シート212は両面テープまたは接着材等によってガイド板211に取付けられている。
【００５２】
次に、作用を説明する。
【００５３】
原稿束Ｓを原稿セットテーブル10上に先端を原稿ストッパ25の破線位置に突き当てた状態でセットし、さらに、原稿束Ｓの幅方向をサイドガイド（搬送方向に渡って片側に配設された端面基準）11によって位置決めする。
【００５４】
この状態で、原稿セット検知フィラー21が破線位置から実線位置に変位し、これに伴って原稿セットセンサ28の遮光が解除され、原稿のセットが検知されると本体制御部に原稿セット信号が送信される。さらに、原稿セットテーブル10面に設けられた第１原稿長さセンサ12または第２原稿長さセンサ14により、原稿の搬送方向長さの概略が判定される。その後、原稿給紙信号により、原稿給紙動作が実行される。
【００５５】
すなわち、原稿のセットが検知されると、原稿ストッパ25が呼び出しモータの駆動によって実線位置まで待避し、原稿先端を開放する。呼び出しモータの逆転駆動によって、ピックアップローラ20が破線位置から実線位置で示す原稿上面に移動し、所定の力で圧接される。
【００５６】
その後、所定の時間を経て、分離給紙部２およびレジスト部３を駆動する給紙モータが回転し、ピックアップローラ20を時計方向に回転させて原稿束Ｓの最上位から分離給紙部２方向へ送り込む。
【００５７】
そして、前述の給紙ベルト23と分離ローラ26の作用により１枚に分離されて給紙ベルト23によってさらに搬送される。
【００５８】
一方、本実施形態では、ピックアップローラ20が下降したときには、ピックアップローラ20が原稿束Ｓを介して弾性シート212に接触する。このとき、弾性シート212とガイド板211の間に隙間213があるため、弾性シート212の弾性力と隙間分213の弾性シート212の移動許容範囲の作用によって、簡単な構成でピックアップローラ20の衝撃音を抑制することができるとともに、ピックアップローラ20の跳ね返りが発生するのを防止して原稿の給紙開始までにロスタイムが発生するのを防止することができる。この結果、優れた画像読取装置を得ることができる。
【００５９】
また、本実施形態では、ガイド板211に凹部211ａを形成しているため、弾性シート212とガイド板211の間に隙間213を簡単に形成することができる。
【００６０】
図３〜６は本発明に係る給紙装置を具備した画像読取装置の第２実施形態を示す図であり、第１実施形態と同様の構成には同一番号を付して説明を省略する。
【００６１】
図３〜５において、ピックアップローラ20に対向する搬送ガイド211上には薄肉状の弾性シート215が設けられており、この弾性シート215は厚さ0.1mm〜0.3mm程度のＰＥＴ等から構成されている。
【００６２】
また、搬送ガイド211には２つの突起部材211ｂ、211ｃ（図３にハッチングで示す）が設けられており、この突起部材211ｂ、211ｃは原稿の搬送方向の前後側に分離されている。この突起部211ｂ、211ｃには弾性シート215の前後端が接着剤、または両面テープ等によって取付けられており、弾性シート215とガイド板211の間には0.5mm〜数mm程度の隙間216が画成されている。
【００６３】
このような構成を有する本実施形態では、ピックアップローラ20が下降したときには、ピックアップローラ20が原稿束Ｓを介して弾性シート215に接触する。このとき、弾性シート215とガイド板211の間に隙間216があるため、弾性シート215の弾性力と隙間216分の弾性シート215の移動許容範囲の作用によって、簡単な構成でピックアップローラ20の衝撃音を抑制することができるとともに、ピックアップローラ20をの跳ね返りが発生するのを防止することができる、
【００６４】
また、本実施形態では、ガイド板211に突起部材211ｂ、211ｃを形成しているため、弾性シート215とガイド板211の間に隙間216を簡単に形成することができる。
【００６５】
なお、本実施形態では、突起部211ｂ、211ｃが原稿の給紙方向の前後方向に離隔して設けられているため、弾性シート215の幅方向両端部とガイド板211の間の隙間から弾性シート215の下方にごみやクリップ等の異物が侵入するおそれがある。
【００６６】
そのため、図６に示すように、原稿の給紙方向と略直行する弾性シート215の幅方向両端部に位置するガイド板211に弾性シート212の上面と同等またはそれ以上の高さを有するリブ217ａ、217ｂを立設しても良い。このようにすれば、弾性シート215の幅方向両端部とガイド板211の間をリブ217ａ、217ｂによって閉塞することができ、弾性シート215の下方にごみやクリップ等の異物が侵入するのを防止することができる。
【００６７】
また、本実施形態では、突起部211ｂ、211ｃとガイド板211を同様の材料で構成しているものであるが、この突起部211ｂ、211ｃを制振部材で構成しても良い。このようにすれば、ピックアップローラ20が弾性シート216を介してガイド板211に接触したときに、ガイド板211に伝達された衝撃を制振部材によって吸収することができ、ピックアップローラ20の下降時の衝撃音をさらに低減することができる。
【００６８】
図７は本発明に係る給紙装置を具備した画像読取装置の第３実施形態を示す図であり、第１実施形態と同様の構成には同一番号を付して説明を省略する。
【００６９】
図７において、ピックアップローラ20に対向するガイド板211にはスリット211ｄが設けられており、ガイド板211にはスリット211ｄを閉塞する0.1mm〜0.3mm程度の厚さを有する弾性シート218が設けられている。
【００７０】
本実施形態では、ピックアップローラ20が下降したときには、ピックアップローラ20が弾性シート218に接触するが、弾性シート218がスリット211ｄ側に移動するために、弾性シート218の弾性力とスリット211ｄによる弾性シート218の移動許容範囲の作用によって、簡単な構成でピックアップローラ20の衝撃音を抑制することができるとともに、ピックアップローラ20の跳ね返りが発生するのを防止して原稿の給紙開始までにロスタイムが発生するのを防止することができる。
【００７１】
【発明の効果】
本発明によれば、簡単な構成で給紙手段の衝撃音を抑制することができるとともに、給紙手段の跳ね返りが発生するのを防止してシートの給紙開始までにロスタイムが発生するのを防止することができる。
【００７２】
また、シート搬送路に凹部または突起部材を設けたため、弾性シートとシート搬送路の間に簡単に隙間を画成することができる。
【００７３】
また、弾性シートの幅方向両端部とシート搬送路の間の隙間をリブによって閉塞しているので、弾性シートの幅方向両端部とシート搬送路の間の隙間から弾性シートの下方にごみやクリップ等の異物が侵入するのを防止することができる。
【００７４】
また、突起部材を制振部材から構成しているため、給紙手段が弾性シートを介してシート搬送路に接触したときに、ガイド板に伝達された衝撃を制振部材によって吸収することができ、給紙手段の下降時の衝撃音をさらに低減することができる。
【００７５】
以上の結果、優れた画像形成装置または画像読取装置を得ることができる。
【図面の簡単な説明】
【図１】本発明に係る給紙装置を具備した画像読取装置の第１実施形態を示す図であり、その画像読取装置の構成図である。
【図２】第１実施形態の給紙部の概略側面図である。
【図３】本発明に係る給紙装置を具備した画像読取装置の第２実施形態を示す図であり、その給紙部の概略側面図である。
【図４】第２実施形態の給紙部の斜視図であり、ガイド板から弾性シートを取り外した状態を示す図である。
【図５】第２実施形態の給紙部の斜視図であり、ガイド板に弾性シートを取付けた状態を示す図である。
【図６】第２実施形態のガイド板にリブを立設した状態を示す図であり、（ａ）はガイド板から弾性シートを外した状態を示す図、（ｂ）はガイド板に弾性シートを取付けた状態を示す図である。
【図７】本発明に係る給紙装置を具備した画像読取装置の第３実施形態を示す図であり、その給紙部の概略側面図である。
【図８】従来の給紙部の概略側面図である。
【符号の説明】
20    ピックアップローラ（給紙手段）
23    給紙ベルト（分離手段）
26    分離ローラ（分離手段）
200    シート搬送装置（給紙装置）
211    ガイド板（シート搬送路）
211ａ    凹部
211ｂ、211ｃ    突起部材
211ｄ    スリット
212、215、218    弾性シート
213、216    隙間
【図１】
0003880801.tif 000002
【図２】
0003880801.tif 000003
【図３】
0003880801.tif 000004
【図４】
0003880801.tif 000005
【図５】
0003880801.tif 000006
【図６】
0003880801.tif 000007
【図７】
0003880801.tif 000008
【図８】
0003880801.tif 000009